Podtech/llm-jp-corpus-v4-ja_patent huggingface dataset:
(57)【要約】【課題】  渦電流の影響がなく、モータの効率が高く、かつ磁石及び電動機の製造コストが安価な永久磁石の製造方法を提供する。【解決手段】  本発明の永久磁石の製造方法は、複数の永久磁石片４から構成されるもので、永久磁石母材３を所定の形状に加工する工程と、加工された永久磁石母材の一方端を残した状態で着磁方向に複数の溝２に加工し他方端を永久磁石片４の櫛形形状に成形する工程とを含むものである。また、永久磁石母材３を直方体形状、半円形状、円筒形状としてもよい。【選択図】    図１
2006320140.tif 000002
【特許請求の範囲】
【請求項１】
複数の永久磁石片から構成される永久磁石の製造方法において、
永久磁石母材を所定の形状に加工する工程と、前記加工された永久磁石母材の一方端を残した状態で着磁方向に複数の溝加工を施し他方端が永久磁石片となる櫛形形状に成形する工程とを含むことを特徴とする永久磁石の製造方法。
【請求項２】
前記永久磁石母材を直方体形状としたことを特徴とする請求項１記載の永久磁石の製造方法。
【請求項３】
前記永久磁石母材を半円形状としたことを特徴とする請求項１記載の永久磁石の製造方法。
【請求項４】
前記永久磁石母材を円筒形状としたことを特徴とする請求項１記載の永久磁石の製造方法。
【請求項５】
請求項１から４のいずれかに記載の永久磁石の製造方法により製造されることを特徴とする永久磁石。
【請求項６】
請求項１から４のいずれかに記載の永久磁石の製造方法により製造された永久磁石を用いてなることを特徴とする電動機。
【発明の詳細な説明】
【技術分野】
【０００１】
本発明は、サーボモータなどの回転子に用いられる永久磁石とその製造方法に関する。
【背景技術】
【０００２】
永久磁石を用いた同期電動機では、固定子側の電機子コイルよって発生する交番磁束が、回転子側の永久磁石を貫くため、永久磁石に大きな渦電流が発生し電動機の損失が増大する。特にインバータ駆動方式の電動機では駆動電流の高調波成分が多く、渦電流損失が飛躍的に増大する。これらの問題を解決するために、永久磁石を細分化して渦電流の発生を抑制する方法がとられてきた（例えば、特許文献１参照）。
この方法は、永久磁石母材を分割し、分割して得られた磁石片の全面を絶縁皮膜処理し、絶縁皮膜処理が施された磁石片を接合し、接合体を所定の寸法となるように加工後、接合体全面に絶縁皮膜処理を施すものである。接合され所定の寸法に加工された後の永久磁石の形状を図４に示す。図において、１は永久磁石、４は分割された永久磁石片、５は絶縁皮膜である。複数の永久磁石片４が絶縁皮膜５により絶縁された永久磁石１が形成されており、これにより渦電流の発生を抑制している。
【特許文献１】特開２００３−１３４７５０号公報
【発明の開示】
【発明が解決しようとする課題】
【０００３】
ところが、この従来の永久磁石を細分化して渦電流の発生を抑制する方法では磁石の製造方法が複雑となりコストが高いという問題がある。
本発明はこのような問題点に鑑みてなされたものであり、渦電流の影響がなく、モータの効率が高く、かつ磁石及び電動機の製造コストが安価な永久磁石の製造方法を提供することを目的とする。
【課題を解決するための手段】
【０００４】
上記問題を解決するため、本発明は、次のようにしたものである。
請求項１に記載の発明は、複数の永久磁石片から構成される永久磁石の製造方法において、母材の永久磁石を所定の形状に加工する工程と、前記加工された永久磁石母材の一方端を残した状態で着磁方向に複数の溝加工を施し他方端を永久磁石片に成形する工程とを含むものである。
請求項２に記載の発明は、前記永久磁石母材を直方体形状としたものである。
請求項３に記載の発明は、前記永久磁石母材を半円形状としたものである。
請求項４に記載の発明は、前記永久磁石母材を円筒形状としたものである。
請求項５に記載の発明は、請求項１から４のいずれかに記載の永久磁石の製造方法により製造された永久磁石である。
請求項６に記載の発明は、請求項１から４のいずれかに記載の永久磁石の製造方法により製造された永久磁石を用いた電動機である。
【発明の効果】
【０００５】
本発明によると、永久磁石を所定の寸法に加工後、母材の一部を残した状態で永久磁石の着磁方向に複数の溝加工を施し櫛形形状としたので、磁石形状としては一体化されており回転子への磁石接合が容易となる。又、磁石片間は切断時の空隙部にて絶縁されており、各磁石片間の絶縁が不要となる。従って、磁石に発生する渦電流の影響を軽減化するための磁石の分割に係わる永久磁石のコストの増大を抑制でき、永久磁石を最適な分割数に設定することが可能となる。その結果、モータの高効率化、磁石の製造コスト及び同期電動機の製造コストの低減化を実現することができる。
【発明を実施するための最良の形態】
【０００６】
以下、本発明の具体的実施例について、図に基づいて説明する。
【実施例１】
【０００７】
図１は、本発明の直方体形状の永久磁石を示す平面図および側面図である。図において、１は所定の直方体形状の寸法に加工された永久磁石であり、２は永久磁石の着磁方向に加工された溝であり、３は残された永久磁石母材、４は永久磁石片である。
永久磁石片４は残された永久磁石母材２にて一体化されており、加工された溝２により各永久磁石片４の間は絶縁されている。
この永久磁石１をモータに用いると、移動子又は回転子への組み込が容易になり、溝２により各永久磁石片４の間は絶縁されているので、渦電流の影響を軽減化できる。
【実施例２】
【０００８】
図２は、本発明の半円形状の永久磁石を示す平面図および側面図である。モータ回転子の軸方向に溝２が設けられており、半径方向に着磁されている。実施例１と同様に回転子への組み込が容易になり、溝２により各永久磁石片４の間は絶縁されているので、渦電流の影響を軽減化できる。
【実施例３】
【０００９】
図３は、本発明の円筒形状の永久磁石を示す平面図および側面図である。モータ回転子の軸方向に溝２が設けられており、半径方向に着磁されている。実施例１よりさらに回転子への組み込が容易になり、溝２により各永久磁石片４の間は絶縁されているので、渦電流の影響を軽減化できる。
【産業上の利用可能性】
【００１０】
インバータ電源で駆動される永久磁石を使用した電動機に適用できる。
【図面の簡単な説明】
【００１１】
【図１】本発明の実施例１を示す直方体形状磁石の平面図および側面図
【図２】本発明の実施例２を示す半円形状磁石の平面図および側面図
【図３】本発明の実施例３を示す円筒形状磁石の平面図および側面図
【図４】従来の製造方法による永久磁石を示す平面図および側面図
【符号の説明】
【００１２】
１  永久磁石
２  溝
３  永久磁石母材
４  永久磁石片
５  絶縁皮膜
【図１】
2006320140.tif 000003
【図２】
2006320140.tif 000004
【図３】
2006320140.tif 000005
【図４】
2006320140.tif 000006
(57)【要約】【課題】スケール引出し式簡易身長計を提供する。【解決手段】固定部と測定部を分離し、上部固定部には使用時および未使用時の切り込みを設けることにより、未使用時の計測器の前面への突起部分をなくした。測定窓を２箇所にすることにより計測者がいる場合は上部計測窓を利用し、一人での測定の場合は底辺部計測窓を利用することにより楽に計測できるようにした。ストッパは押してリリース、離して固定できるようにすることにより誤動作を防止した。【選択図】図１
2006320375.tif 000002
【特許請求の範囲】
【請求項１】
簡易に測定できる身長計を提供する。
【発明の詳細な説明】
【技術分野】
【０００１】
本発明は、身長測定器に関するものである。
【背景技術】
【０００２】
頭上より測定するものは計測部が高い位置にあり見えにくい。
【０００３】
測定器の取り外しが可能なものが少ない。
【特許文献１】特許公開２０００−７０２４０号公報
【発明の開示】
【発明が解決しようとする課題】
【０００４】
計測部が見えやすい位置にあること。
【０００５】
計測位置が固定できること。
【０００６】
未使用時に計測器が邪魔にならないこと。
【課題を解決するための手段】
【０００７】
計測窓を上部と底辺部に設けた。
１１及び１３が測定窓になる。
【０００８】
８のストッパを設けることにより測定位置を固定する。
【０００９】
頭上固定部と測定器が分離できる。
【発明の効果】
【００１０】
測定者がいる場合は上部測定窓で確認でき、自分自身で測定する場合は底辺部測定窓で確認でき、見上げる角度がすくなくなる。
【００１１】
未使用時は測定器を接続することにより前面への突起部分を最小にした。
【発明を実施するための最良の形態】
【００１２】
ストッパは押すことによりリリースし、離すことにより固定する。
【図面の簡単な説明】
【００１３】
【図１】上部固定部の側面、正面および上面と測定器の側面、正面および底辺部の図である。
【符号の説明】
【００１４】
１．頭上固定部側面
２．頭上固定部正面
３．頭上固定部上面
４．計測時の計測器設置位置
５．未使用時の計測器設置位置
６．計測器本体側面
７．計測器本体正面
８．ストップ・リリースボタン
９．スケール部
１０．頭上固定部との結合部
１１．計測器本体上部計測窓
１２．計測器本体底辺部
１３．計測器本体底辺部計測窓
【図１】
2006320375.tif 000003
(57)【要約】【課題】  カラス等の鳥類の忌避効果に優れる装置を提供する。【解決手段】反射フィルム２と、反射フィルム２を露呈する状態に保持する保持部８と該装置を被取り付け体に取り付けるための取り付け部５とを備える保持体３とからなる鳥類の忌避装置。【選択図】  図１
2006320301.tif 000002
【特許請求の範囲】
【請求項１】
反射フィルムと、
前記反射フィルムを露呈する状態に保持する保持部と該装置を被取り付け体に取り付けるための取り付け部とを備える保持体と、
からなることを特徴とする鳥類の忌避装置。
【発明の詳細な説明】
【技術分野】
【０００１】  この発明は、鳥類の忌避装置に関する。
【背景技術】
【０００２】  最近ではカラスにより生ゴミ等が荒らされる被害、また、各種鳥の糞公害が深刻なものとなっている。これに対し種々対策が講じられているが、実際の効果に優れるものは出現していない。
【発明の開示】
【発明が解決しようとする課題】
【０００３】  この発明は、カラス等の鳥類の忌避効果に優れる装置を提供する。
【課題を解決するための手段】
【０００４】  この発明では、反射フィルムと、前記反射フィルムを露呈する状態に保持する保持部と該装置を被取り付け体に取り付けるための取り付け部とを備える保持体とからなることを特徴とする鳥類の忌避装置を提供する。【０００５】  この発明の忌避装置は取り付け部により適宜の部位に取り付けられ、その保持部に保持される反射フィルムからの反射光が周囲に至り、これにより鳥類の忌避効果が発揮される。とくに反射フィルムを揺動するように設け反射光をキラキラさせることでその忌避効果が高められる。取り付け部及び保持部は適宜の形態で実現される。
【発明の効果】
【０００６】  この発明の装置を適宜場所に設置することでカラス等の鳥類の忌避効果が良好に達成される。
【発明を実施するための最良の形態】
【０００７】  図１はこの発明の忌避装置の実施形態の外観斜視図、図２は一部断面側面図である。【０００８】  忌避装置１は反射フィルム２と、その反射フィルム２を収納する円筒状の保持体としてのケーシング３とからなる。【０００９】  反射フィルム２としては樹脂フィルム上に金属膜が蒸着形成された金属蒸着フィルムやフィルム上に屈折率の異なる樹脂層が交互に積層されて構成されたマルチライヤーフィルム等の表面反射機能を持つフィルムが適宜使用され、金色の反射光を発するものが忌避効果に優れる。【００１０】  ケーシング３は一対の半割れ体５、５が一対のバネ蝶番６それぞれを介して連結され、通常は判割れ体５それぞれはバネ蝶番により閉じる方向に付勢されているが、そのバネ力に抗して連結された逆側が図２における矢印で示すように両側に開くようになっている。【００１１】  判割れ体５それぞれは外側面１１が網目状とされ、その外面側１１と内面側１２との間が反射フィルム２の保持部としての隙間スペース８とされ、その隙間スペース８内に反射フィルム２がその反射面を外側に向くように装着されている。判割れ体５それぞれの一方側面には反射フィルム２の出し入れ用の開口７が形成され、その開口７は通常シール体９で閉ざされている。また、判割れ体５の一方側面の縁部には吊り下げ用の取り付け部１０が一体に突設されている。【００１２】  上記忌避装置１は、まず、半割れ体５、５をバネ蝶番６のバネ力に抗して開き棒状のものに外嵌め装着することで取り付けることができ、すなわち、電柱や街灯の柱、また、家屋のテラスの横桟等に装着使用される。この使用形態においては半割れ体５、５それぞれが被取り付け体への取り付け部となる。また、忌避装置１は取り付け部１０に紐体を通すことで戸外の適宜の場所に吊り下げ使用される。【００１３】  使用に際しては、反射フィルム２が網目状の外側面６を通して露呈していることで、その反射光がその周囲に至り、反射フィルム２が隙間スペース８内に自由状態に装着されていることで風により反射フィルム２が揺動してその反射光がキラキラ目立つものとなる。とくに、吊り下げ使用した場合には忌避装置１全体が揺れることで反射光がさらにキラキラして目立つものとなる。【００１４】  この忌避装置１をゴミ袋の傍に設置することで、カラスがゴミ袋に寄り付かないことが実験により確認された。
【図面の簡単な説明】
【図１】  この発明の忌避装置の実施形態の外観斜視図
【図２】  この発明の忌避装置の実施形態の一部断面側面図
【符号の説明】
１  忌避装置
２  反射フィルム
３  ケーシング（保持体）
５  半割れ体（取り付け部）
８  隙間スペース（保持部）
【図１】
2006320301.tif 000003
【図２】
2006320301.tif 000004
(57)【要約】【課題】ポリフェノールを多く含む、赤ブドウ種子エキスをアルカリイオン水で抽出し、健康と美容効果に優れた赤ブドウ種子エキスの抽出方法と飲料及び皮膚外用塗布水の製造法を提供する。【解決手段】電気分解したアルカリイオン水の中に、果肉、果汁、果皮を除去した赤ブドウの種子を破砕して浸漬することにより、赤ブドウ種子中に含有するカテキン、ケルセチン、オリゴメリック、プロアントシアニジン、タンニン等の成分を抽出するという手段で上記を解決した。【選択図】      なし【特許請求の範囲】
【請求項１】
アルカリイオン水液中に破砕した赤ブドウ種子を浸漬し、赤ブドウ種子中に含有する成分を抽出し、濾過して得ることを特徴とする赤ブドウ種子エキスの抽出方法。
【請求項２】
アルカリイオン水液中に破砕した赤ブドウ種子を投入して加温し、赤ブドウ種子中に含有する成分を抽出し、濾過して得ることを特徴とする赤ブドウ種子エキスの抽出方法。
【請求項３】
請求項１及び請求項２で得た赤ブドウ種子エキス液を適宜に希釈して、飲料及び皮膚外用塗布水として用いることを特徴とする赤ブドウ種子エキス。
【発明の詳細な説明】
【発明の詳細な説明】
【技術分野】
【０００１】本発明は、ポリフェノールを多く含む赤ブドウ種子エキスをアルカリイオン水で抽出し、健康と美容効果に優れたブドウ種子エキスの抽出方法と飲料及び皮膚外用塗布水の製造に関するものである。
【背景技術】
【０００２】従来、赤ブドウ種子を破砕してアルカリイオン水液中に浸漬して抽出する方法は実用に供されいなかった。
【発明が解決しようとする課題】
【０００３】従来より赤ワインは、他のお酒より健康と美容に良いとされ、多くの人たちに愛飲されているが、しかし赤ワインはお酒であり、飲み過ぎると健康を害し、またアルコールに弱い人や子供は飲用できないという課題があった。
【０００４】本発明は、前記課題を解決すべくなされたものであり、赤ブドウの種子から健康や美容に良いとされるポリフェノール成分をアルカリイオン水を用いて抽出することにより、アルコールに弱い人でも毎日飲み続けられることを見いだし、その赤ブドウ種子エキスの抽出方法と飲料及び皮膚外用塗布水として提供するものである。
【課題を解決するための手段】
【０００５】本発明は、電解槽に源水を入れて、直流電流を流すことにより電気分解を起こし、イオン化したカルシウムイオン、マグネシウムイオン、カリウムイオン、ナトリウムイオン等の陽イオンが陰極側に集積し生成されたアルカリイオン水液中に、果肉、果汁、果皮を除去した赤ブドウの種子を破砕して浸漬することにより、赤ブドウ種子中に含有するカテキン、ケルセチン、オリゴメリック、プロアントシアニジン、タンニン等の成分を抽出するという手段で上記課題を解決した。
【発明の実施形態】
【０００６】本発明は、アルカリイオン水液中に赤ブドウ種子を破砕して浸漬し、赤ブドウ種子中に含有するポリフェノール等の成分を抽出し、飲料及び皮膚外用塗布水に関するものである。
【０００７】請求項１のアルカリイオン水液中に赤ブドウ種子を破砕して浸漬し、赤ブドウ種子中に含有する成分を、濾過して得ることを特徴とする赤ブドウ種子エキスの抽出方法は、下記により構成されている。
【０００８】電解槽に源水を入れて、直流電流を流すことにより電気分解を起こし、イオン化したカルシウムイオン、マグネシウムイオン、カリウムイオン、ナトリウムイオンなどの陽イオンが陰極側に集積し生成されるｐＨ１２のアルカリイオン水１０Ｌの液中に、果肉、果汁、果皮を除去した赤ブドウ種子３０重量％を洗浄後破砕して、一昼夜冷蔵庫に浸漬することにより、赤ブドウ種子中に含有するカテキン、ケルセチン、オリゴメリック、プロアントシアニジン、タンニン等の成分を溶出し、限外濾過膜（ＵＶ膜）を通し不溶性分解物などの懸濁物質を除去することにより清澄抽出液が得られる。
【０００９】請求項２のアルカリイオン水液中に赤ブドウ種子を破砕して投入して加温し、赤ブドウ種子中に含有する成分を、濾過して得ることを特徴とする赤ブドウ種子エキスの抽出方法は、下記により構成されている。
【００１０】電解槽に源水を入れて、直流電流を流すことにより電気分解を起こし、イオン化したカルシウムイオン、マグネシウムイオン、カリウムイオン、ナトリウムイオンなどの陽イオンが陰極側に集積し生成されるｐＨ１２のアルカリイオン水１０Ｌの液中に、果肉、果汁、果皮を除去した赤ブドウ種子３０重量％を洗浄後破砕して投入して９５℃で３５分間加温することにより、赤ブドウ種子中に含有するカテキン、ケルセチン、オリゴメリック、プロアントシアニジン、タンニン等の成分を溶出し、冷却後限外濾過膜（ＵＶ膜）を通し不溶性分解物などの懸濁物質を除去することにより清澄抽出液が得られる。
【００１１】請求項１及び請求項２において得た赤ブドウ種子エキスは、ｐＨ１２と値の高いアルカリイオン水であり、手指などの殺菌には１０倍のｐＨ１１に薄め、飲用及び皮膚外用塗布水には１００倍のｐＨ１０前後に希釈するなど、使用目的に合わせて用いることが出来る。
【発明の効果】
【００１２】本発明は、赤ブドウ種子が含有するポリフェノールやプロアントシアニジンの抗酸化作用、活性酸素除去作用。アルカリイオン水の整腸作用や美肌作用等、年齢を問わず飲用や皮膚外用塗布水として用いることが出来る。
(57)【要約】【課題】  バネの収縮を利用して収集するペットの糞取り器具を提供する。【解決手段】  軸に対して向かい合うようにバネを巻き、そのバネに接するように両側に羽根状の成型版を取り付けたことを特徴とするペットの糞取り器具。【選択図】  図１
2006320303.tif 000002
【特許請求の範囲】
【請求項１】
軸を中心に向かい合うようにバネを巻いて、そのバネに接触するように、軸を基点に回転する羽根状の成型版を取り付けたことを特徴とするペットの糞取り器具。
【発明の詳細な説明】
【技術分野】
【０００１】  本発明は、バネの収縮を利用して収集するペットの糞取り器具に関するものである。
【背景技術】
【０００２】  従来のバネを使った糞取り器具は、バネの戻る力を利用して糞を収集するものであった。
【発明の開示】
【発明が解決しようとする課題】
【０００３】  そのために、次のような問題点があった。（イ）  構造上、遠隔操作になるために、草やコンクリートなど糞の状況によってコツが必要であった。（ロ）  支点に対して強い力を必要とするため、子供には扱いにくかった。
【課題を解決するための手段】
【０００４】  支軸にバネを巻き、そのバネに接触するように向かい合う羽根状のプラスチック成型版を取り付ける。以上を特徴とするペットの糞取り器具である。
【発明の効果】
【０００５】  細かい融通の利く手作業でありながら、手に糞の感触をほとんど感じさせないのは、バネのフワフワした使用感の結果である。バネは構造上の必要で使われているわけではないので、使い心地が良く、子供にも簡単に扱える。
【発明を実施するための最良の形態】
【０００６】（イ）軸（１）に向き合うようにバネ（２）を巻く。（ロ）軸（１）を支点に回転するように羽根状の成型版（３）と（４）をバネに接触するように取り付ける。（ハ）軸（１）の両端に持ち手（５）を取り付ける。  本発明は以上のような構成で、これを使用する時は、バネのフワッとした伸縮を利用しながら、羽根状の成型版（３）と（４）を片手で挟むようにしながら使用する。  また、使い心地や作業性を考慮して滑り止め（６）、もち手（５）を付ける。
【図面の簡単な説明】
【０００７】
【図１】本発明の斜視図
【図２】本発明の部分斜視図
【図３】本発明の部分分解斜視図
【図４】本発明の使用状態を示す側面図
【符号の説明】
【０００８】  １  軸  ２  バネ  ３  成型版  ４  もち手  ５  滑り止め
【図１】
2006320303.tif 000003
【図２】
2006320303.tif 000004
【図３】
2006320303.tif 000005
【図４】
2006320303.tif 000006
(57)【要約】      （修正有）【課題】短い距離を繰り返し何度も使うときに使いやすく、構造がシンプルで洗ったり干したりしやすい収納付き傘の提供。【解決手段】電球型すべり本体３に６本同時に伸縮し球の弧にそって移動する傘骨４を取り付けて上下蓋付中空ケース２に収納することを特徴とする。【選択図】図２
2006320727.tif 000002
【特許請求の範囲】
【請求項１】
電球型すべり軸（３）の球形部分に、弧にそってつけられた6本の溝を移動する、防水布を貼り付けた６本同時に伸縮できるフックの付いている傘骨（４）６本をそれぞれの溝に取り付け、上下蓋付中空ケースに収納した傘。
【請求項２】
電球型すべり軸についている６本同時に伸びた傘骨が、ケースのささえがなくなったと同時に電球型すべり軸の球の部分の溝を弧にそって重力によって移動し防水布を開かせる構造。
【発明の詳細な説明】
【技術分野】
【０００１】
本発明は、短い距離を繰り返し何度も使うときに使いやすく、構造がシンプルで洗ったり干したりしやすい収納付き傘に関するものである。
【背景技術】
【０００２】
従来は、構造が複雑で部品の数が多く、開閉に手間がかかり、使用後ケース内の水分による湿気で乾きにくい収納付傘があった。
【特許文献１】特開２００３−２５０６１５号広報
【特許文献２】特開２００１−２５２１１８号広報
【発明の開示】
【発明が解決しようとする課題】
【０００３】
これは次のような欠点があった。
（イ）構造が複雑で、使用後の取り扱いの不便さによって、車から建物に入るときや、近い建物から建物など、比較的短い距離を移動するときに傘を使わず濡れてしまうことが多かった。
（ロ）使用した後そのまま放置しておくと、カビや悪臭の原因になる。
本発明は、これらの欠点を除くためになされたものである。          
【課題を解決するための手段】
【０００４】
電球型すべり軸（３）に防水布を貼り付けた６本同時に伸縮できる傘骨（４）を取り付け、それを上下蓋付中空ケース（２）に収納する、本発明は以上のような構成によりなる傘である。
【発明の効果】
【０００５】
本発明は、開きやすく、閉じやすいため、短い距離でも使いやすい。使用後も多目的フックによって、ベルトがなくてもズボンやポケットに下げて持ち歩ける。車に乗ったときはドリンクホルダーに置いておける。簡単に分解洗浄できるため衛生的にもよい。
【発明を実施するための最良の形態】
【０００６】
本発明は電球型すべり軸（３）に防水布を付けた６本同時に伸縮できる傘骨（４）をつけて上下蓋付中空ケース（２）に収納する、すると濡れた面を内側に収納した小さな傘になる。
【実施例１】
【０００７】
本発明の実施例について説明する。
（イ）電球型すべり軸（３）は、収納ケース内を上下に移動することができ、ねじ山により最上部でとめることができる。
球形の部分に、傘骨が重力により弧にそって移動できる溝が６本つけられている。
（ロ）傘骨（４）は、電球型すべり軸の球形の部分につけられた6本の溝にそれぞれ取り付けられ、６本同時伸縮可能にするために竿状の各ロットの最上ロットにフック（５）がついている。最下端部は溝の移動を円滑にするために球形になっている。傘骨は電球型すべり軸の最上部の穴により取り外すことができる。
（ハ）防水布は、傘骨１本につき各ロットの数だけ1ヶ所ずつに固定され、その布自体が傘骨の伸縮にあわせて伸び縮みする。風の強いときは、防水布のバタツキを抑えるために、傘骨が最下点のときに１ノッチ横にずらすと固定されるようになっていて、それぞれが独立しているため、固定する傘骨はそのときの状況によって自由に決められる。
（ニ）収納ケース（２）は下端部にシールパッキン付き蓋を設けてあり、電球型すべり軸を取り出すことができる。以上の部品を組み合わせた構造で、伸びた傘骨が電球型すべり軸の溝を重力によって移動することにより防水布が開き傘として機能する。
【産業上の利用可能性】
【０００８】
小型で簡単に開閉可能なため短い距離でも使いやすい。フックをベルトやポケット、帽子やヘルメットなどに取り付けることにより、両手が自由になるので雨の日の仕事や観光、写真、ビデオ撮影にも便利で車やバスに乗ったときでも置き場所に困らない。使用後乾かし忘れてカビや悪臭が発生しても分解洗浄できる。
【図面の簡単な説明】
【０００９】
【図１】本発明の防水布部分を透かして開いたときの斜視図である。
【図２】防水布を取り除いた部分断面図である。
【図３】伸縮竿状傘骨の正面図である。
【符号の説明】
【００１０】
１  上蓋
２  上下蓋付中空ケース
３  電球型すべり軸
４  伸縮竿状傘骨
５  フック
６  雄ネジ山
７  雌ネジ山
８  スライド玉
９  多目的フック
１０  ガイド溝
１１  防水布
１２  下蓋
【図１】
2006320727.tif 000003
【図２】
2006320727.tif 000004
【図３】
2006320727.tif 000005
(57)【要約】【課題】土鍋は保温性にすぐれ、寒い季節など、鍋料理は大活躍であるが、継続的に使用する際、タレがだんだん薄くなるという問題がある。従来は、ある程度の間隔で、新しいタレに交換するか、鍋とは別のお皿のうえで搾ってから、そのまま使い続けるか、であった。しかし、一々新しいタレに交換するのも、面倒かつ勿体ない気がするものであり、一方、別のお皿のうえで搾るにしても、すぐにお皿が水浸しになってしまい、面倒である。これはタレでいただく鍋料理全体の、ひとつの欠点であるといえよう。本発明は、この欠点を解決するためになされたものである。【解決手段】鍋を継続的に使用する際問題となる、具の搾り取り、乾燥を行なう皿（１）を、取手そのものを利用するか、取手の間のふちか、鍋の中央部に設ける。搾り、乾燥皿（１）は凸（３）凹（４）していて、そのもっとも低いところ付近には穴（２）が穿ってあり、搾り取ったスープが再び鍋のなかに戻るようになっている。【選択図】                                図５
2006320754.tif 000002
【特許請求の範囲】
【請求項１】
鍋の中央部に、鍋本体と分割不能な、鍋と一体のものとして、具の搾り取り、乾燥を行なう皿を設置し、前記皿のもっとも低いところ付近には、穴が開けてあり、搾り取ったスープは、前記穴から鍋に帰して再利用出来る事を特徴とする、搾り、乾燥皿付き鍋。
【請求項２】
請求項１に記載した、搾り、乾燥皿付き鍋の一部としての、搾り、乾燥皿であり、より容易に具の搾り取りが行えるよう、前記皿の上面に凸凹する形状を持たせる事を特徴とする、搾り、乾燥皿。
【発明の詳細な説明】
【技術分野】
【０００１】
本発明は、鍋に鍋としての機能の外に、具を搾り乾燥させる機能をもった皿を付け加える技術、そして皿として濡れた具を搾り、かつ排水してスープを鍋に戻す技術に関するものである。
【背景技術】
【０００２】
土鍋は保温性にすぐれ、寒い季節など、鍋料理は大活躍であるが、継続的に使用する際、タレがだんだん薄くなるという問題がある。従来は、ある程度の間隔で、新しいタレに交換するか、鍋とは別のお皿のうえで搾ってから、そのまま使い続けるか、であった。しかし、一々新しいタレに交換するのも、面倒かつ勿体ない気がするものであり、一方、別のお皿のうえで搾るにしても、すぐにお皿が水浸しになってしまい、面倒である。
【発明の開示】
【発明が解決しようとする課題】
【０００３】
せっかく鍋料理を食べようと思って鍋の中身の具にこだわっても、タレがこのままでは、やはり片手落ちの感は否めず、いささか極端ではあるが、これはタレでいただく鍋料理全体の、ひとつの欠点であるといえよう。本発明は、この欠点を解決するためになされたものである。
【課題を解決するための手段】
【０００４】
鍋を継続的に使用する際問題となる、具の搾り、乾燥を行なう皿（１）を、取手そのものを利用するか、取手の間のふちか、鍋の中央部に設ける。この際、鍋と一体として成型する方法と、搾り、乾燥皿部分のみを既存の鍋の形に適合させて作る方法がある。搾り、乾燥皿（１）は凸（３）凹（４）していて、そのもっとも低いところ付近には穴（２）が穿ってあり、搾り取ったスープが再び鍋のなかに帰るようになっている。本発明は、以上の構成よりなる「搾り、乾燥皿付き鍋」である。
【発明の効果】
【０００５】
本発明を使用することによって、鍋料理をいただく際、常に十分に搾った具を、温かいままいただくことができ、またタレに多少スープを混ぜるほうが好みの場合でも、その濃度を好みの位置に保ちやすくなり、多くの場合、タレの交換の必要がなくなると同時に、搾り取ったスープも鍋に戻して再利用可能となる。これはわずかながらも、食事にかかるゴミを減らすことにも通じ、一石二鳥の案といえるであろう。
【発明を実施するための最良の形態】
【０００６】
以下、本発明の実施の形態を説明する。鍋を継続的に使用する際問題となる、具の搾り、乾燥を行なう皿（１）を、取手そのものを利用するか、取手の間のふちか、鍋の中央部に設ける。搾り、乾燥皿（１）は凸（３）凹（４）していて、そのもっとも低いところ付近には穴（２）が穿ってあり、搾り取ったスープが再び鍋のなかに帰るようになっている。搾り、乾燥皿（１）部分を作る際、鍋と一体として成型する方法と、搾り、乾燥皿部分のみを既存の鍋の形に適合させて作る方法がある。また、その搾り、乾燥皿（１）部分は鍋と同質である必要はなく、例えば金属製であってもかまわず、そもそも鍋自身も同様であり、鉄鍋、アルミ鍋、ホーロー鍋等何でもよい。なお、搾り、乾燥皿（１）を鍋の内部と外部に備える例を示したが、これらを併合して内外に作って、鍋の形がひょうたん型になる案もあるし、搾り、乾燥皿（１）にあける穴の形も真円である必要はなく、例えば長方形、長円、楕円形などでもかまわない。
【図面の簡単な説明】
【０００７】
【図１】鍋の内部に搾り、乾燥皿を設けた例の斜図
【図２】鍋の内部に搾り、乾燥皿を設けた例の側面図
【図３】鍋の外部に搾り、乾燥皿を設けた例の斜図
【図４】鍋の外部に搾り、乾燥皿を設けた例の側面図
【図５】鍋の中心部に搾り、乾燥皿を設けた例の斜図
【図６】鍋の中心部に搾り、乾燥皿を設けた例の側面図
【図７】搾り、乾燥皿部分のみをあとから設けた例の斜図
【図８】搾り、乾燥皿部分のみをあとから設けた例の側面図
【図９】ひょうたん型の鍋の斜図
【図１０】ひょうたん型の鍋の側面図
【符号の説明】
【０００８】
１ 搾り、乾燥皿
２ 穴
３ 凸
４ 凹
５ スープ
６ 針金
【図１】
2006320754.tif 000003
【図２】
2006320754.tif 000004
【図３】
2006320754.tif 000005
【図４】
2006320754.tif 000006
【図５】
2006320754.tif 000007
【図６】
2006320754.tif 000008
【図７】
2006320754.tif 000009
【図８】
2006320754.tif 000010
【図９】
2006320754.tif 000011
【図１０】
2006320754.tif 000012
(57)【要約】【課題】  トルクコンバーターや流体クラッチ等の流体を媒体にしてトルクを伝達する装置の、流体スリップを抑えてトルク伝達性能を高め、流体スリップを原因とする欠点を克服する。【解決手段】  機械油の中に、翼の間を自由に通過できる大きさの砂状の鋼球粒を混入し密度の大きい流動混合物を作る。この密度の大きい流動混合物を、トルク伝達の媒体として用い流体スリップを抑えてトルク伝達性能を高め、機械油のみをトルク伝達の媒体にしたトルクを伝達する装置がかかえる欠点を克服する。【選択図】        なし【特許請求の範囲】
【請求項１】
砂状の鋼球粒と機械油の流動混合物を媒体にしてトルクを伝達する装置。
【発明の詳細な説明】
【発明の詳細な説明】
【技術分野】
【０００１】  この発明は、トルクコンバーターや流体クラッチ等のポンプ翼とタービン翼の間を流体を媒体にしてトルクを伝達する装置に関するものである。
【背景技術】
【０００２】  自動車をはじめ各種の車両や機械に用いられている従来のトルクコンバーターや流体クラッチ等の流体を媒体にしてトルクを伝達する装置は、ポンプ翼とタービン翼の間を液体の機械油を媒体にしてトルクを伝達している。
その際、ポンプ翼の回転速度によってタービン翼へのトルクの伝わり方が変化し、ポンプ翼とタービン翼の間で自動クラッチとしての機能を果たしている。
更には、急な回転による衝撃や振動を吸収し、トルクを滑らかに伝えるという特性を備えている。
しかし、翼と流体との間で生じる流体スリップを原因とする次のような欠点をかかえている。
（イ）トルク伝達時にポンプ翼及びタービン翼と流体の間に生ずる流体スリップが、トルク及びエネルギーの損失となる。
（ロ）自動車等の車両に装着した場合、急発進の時・急な加速の時・急な坂道を走行する時などには、流体スリップが大きくトルク伝達性能が低下する。より高出力のエンヂンを搭載すると更に流体スリップが大きくなる。
（ハ）トラックやバス等の車両重量や荷重の大きい大型車両を走行させるに必要なトルク伝達性能を備えるためには、大きな翼や多量の機械油を必要とし装置が大型となる。
【発明が解決しようとする課題】
【０００３】  本発明は、従来の流体を媒体にしてトルクを伝達する装置が備えている、自動クラッチとしての機能及び回転の衝撃や振動を吸収し、トルクを滑らかに伝える特性は生かしたまま装置を大型化することなく、流体スリップを抑えトルク伝達の性能を高め、従来の流体を媒体にしてトルクを伝達する装置がかかえる流体スリップを原因とする欠点を克服するものである。
【課題を解決するための手段】
【０００４】  従来の流体を媒体にしてトルクを伝達する装置では、ポンプ翼とタービン翼の間のトルク伝達の媒体として液体の機械油が使われている。
機械油の密度は１．０ｇ／ｃｍ３よりわずかに小さい。もしトルク伝達の媒体として機械油に較べはるかに密度の小さい流体である空気を用いたとすると、流体スリップは非常に大きくトルクはほとんど伝わらない。逆に機械油より大きい密度の流体をトルク伝達の媒体に用いれば、機械油を用いた場合に較べて装置を大型化することなく流体スリップを抑えトルク伝達の性能を高めることができる。
そこで、機械油の中にそれぞれの翼の間を自由に通過できる大きさの砂状の鋼球粒を流動状態を失わない程度の量を混入し、密度の大きい流動混合物を作る。
本発明は、この密度の大きい流動混合物をポンプ翼とタービン翼の間のトルク伝達の媒体として用い、流体スリップを抑えトルク伝達の性能を格段に高めるものである。
【発明を実施するための最良の形態】
【０００５】  本発明のトルクを伝達する装置の構造は、従来のトルクコンバーターや流体クラッチ等の流体を媒体にしてトルクを伝達する装置と同様の仕組みとする。
流体スリップを抑えてトルク伝達性能を向上させるための手段としてトルク伝達の媒体となる流体を、機械油の中に適量の砂状の鋼球粒を混入して密度を大きくした流動混合物に代えて用いる。
機械油に混入する鋼球粒の大きさは、それぞれの翼の間を自由に通過できる大きさとする。
【発明の効果】
【０００６】  本発明の鋼球粒と機械油の流動混合物を媒体にしてトルクを伝達する装置を自動車や各種の車両や機械に用いた場合、従来の機械油のみを媒体にしたトルクを伝達する装置に較べ流体スリップが抑えられトルク伝達性能が向上し、次のような効果を発揮する。
（１）トルク伝達の際、流体スリップを抑えトルクやエネルギーの損失を抑制することができる。
（２）トルク伝達性能が向上するため、トルクを伝達する装置を小型軽量化することが可能である。
（３）自動車に装着した場合、従来のトルクコンバーターを装着したオートマチック車に較べて、発進や加速の時に流体スリップを抑えて一段と加速性能を向上させることができる。
（４）トラックやバス等の車両重量や荷重の大きい大型車両を走行させるに必要な大きなトルクの伝達も容易で、大型車両もオートマチック化しやすい。
(57)【要約】【課題】標準ガスを使用することなく、零点を校正すること。【解決手段】接触燃焼式ガスセンサー１を検出手段とするガス検出装置において、接触燃焼式ガスセンサー１への被検ガスの流入を阻止するガス流入口封止手段４と、被検ガスの流入が阻止された状態での接触燃焼式ガスセンサー１の指示値を零点とする測定回路９とを備える。【選択図】  図１
2006177863.tif 000002
【特許請求の範囲】
【請求項１】
接触燃焼式ガスセンサーを検出手段とするガス検出装置のガス流入口を封止する工程と、前記前記接触燃焼式ガスセンサーにより可燃性ガスが実質的に消費された時点の出力を零指示値として校正することを特徴とする校正方法。
【請求項２】
接触燃焼式ガスセンサーを検出手段とするガス検出装置において、前記接触燃焼式ガスセンサーへの被検ガスの流入を阻止するガス流入口封止手段と、被検ガスの流入が阻止された状態での前記接触燃焼式ガスセンサーの指示値を零点とする測定回路とを備えたガス検出装置。
【請求項３】
前記ガス流入口封止手段が外部からの校正指令に基づいて前記接触燃焼式ガスセンサーのガス流入口を封止する請求項２に記載のガス検出装置。
【発明の詳細な説明】
【技術分野】
【０００１】
本発明は、接触燃焼式ガスセンサーの零点を校正する機能を備えたガス検出装置に関する。
【背景技術】
【０００２】
ガスセンサーは、経時変化により零点が変動するため、定期的に零点を補正または修正する必要がある。このような零点の補正は、特許文献１に見られるようなキャップをガスセンサーのガス流入口に装着、封止してキャップの空間に標準ガスを注入することにより行われている。
【特許文献１】実開昭62-163747号公報
【発明の開示】
【発明が解決しようとする課題】
【０００３】
しかしながら、キャップや標準ガスを用意して、キャップ内に標準ガスを注入するという操作が必要となり、校正作業が複雑化するという問題ある。
本発明はこのような問題に鑑みてなされたものでありその目的とするところは、標準ガスやその注入操作を不要とした零点校正機能を備えたガス検出装置を提供することである。
【課題を解決するための手段】
【０００４】
このような課題を達成するために請求項１の発明は、接触燃焼式ガスセンサーを検出手段とするガス検出装置のガス流入口を封止する工程と、前記前記接触燃焼式ガスセンサーにより可燃性ガスが実質的に消費された時点の出力を零指示値として校正するように構成されている。
【０００５】
また、請求項２の発明は、接触燃焼式ガスセンサーを検出手段とするガス検出装置において、前記接触燃焼式ガスセンサーへの被検ガスの流入を阻止するガス流入口封止手段と、被検ガスの流入が阻止された状態での前記接触燃焼式ガスセンサーの指示値を零点とする測定回路とを備える。
【発明の効果】
【０００６】
接触燃焼式ガスセンサーへの被検ガスの流入を阻止するという操作だけで、ガスセンサーに零点校正用のガスを供給でき、標準ガスを必要とすることなく測定装置の零点を簡単に校正することができる。
【発明を実施するための最良の形態】
【０００７】
図１は、本発明の一実施例を示すものであって、接触燃焼式ガスセンサー１は、ガス流入口２ａを備えたケース２に接触燃焼式ガス検出素子３を収容して構成されている。ガスセンサー１の近傍には、この実施例では校正信号により作動する駆動手段５によりガス流入口２ａに対して図中矢印Ａで示すように進退するシャッタ板６を設けて構成されたガス流入口封止手段４が配置されている。
【０００８】
接触燃焼式ガス検出素子３は、周知のように図２に見られるごとく、ヒータ３１と、これの表面に電気的には絶縁し、かつ熱伝導関係を維持するための層３２を形成し、この層３２の表面に酸化触媒層３３を形成することにより構成されていて、被検ガスである燃焼性ガスを酸化触媒層３３の触媒作用により燃焼させ、その温度上昇をヒータ３１の電気抵抗の変化として検出するものである。
【０００９】
再び図１に戻って、接触燃焼式ガスセンサー１は、基準抵抗７を介して好ましくは定電圧電源８に接続され、基準抵抗７、もしくはガスセンサーのいずれかの端子電圧を検出信号として測定回路９に取り込むように構成されている。
【００１０】
測定回路９は、零ガス状態、つまり被検ガスが存在しない状態での検出信号による指示値が零となるように調整する零点調整機能と、少なくとも２つの異なる濃度を有する被検ガスの指示範囲を所定の値に調整する、いわゆるスパン調整機能とを備えている。
【００１１】
校正制御手段１０は、校正指令釦１１が押圧された時点で、ガス流入口封止手段４を作動させてガスセンサーのガス流入口２ａを実質的に封止させ、所定時間の経過後の検出信号を零点とするように測定回路９に指令するように構成されている。
【００１２】
この実施例において、零点を校正すべく校正指令釦１１を押圧すると、校正制御手段１０はガス流入口封止手段４によりガスセンサーのガス流入口２ａを実質的に封止する（なお、実質的に封止するとは、接触燃焼式ガス検出素子３による可燃性ガスの消費量に対してガス流入口２ａから漏洩により流入する量が無視できる状態での封止を意味する）。これによりケース２の内部の燃焼性ガスが接触燃焼性ガス検出素子３により酸化されて消費され、当初２０００ｐｐｍの濃度であった可燃性ガスは、所定時間が経過した時点Ｔ１では被検ガスが実質的に零ガス状態となる。なお、実質的に零ガス状態とは、接触燃焼式ガス検出素子３が当該ガスに対して感応しない程度以下まで濃度が低下した状態をいう。
【００１３】
校正制御手段１０は、測定回路９に指令を出力してこの時点の検出信号を取り込んで指示値がゼロとなるように調整させる。なお、零点調整が終了した段階で校正制御手段１０は、ガス流入口封止手段４によりガス流入口２ａを開放させて次の測定を可能ならしめる。
【００１４】
なお、上述の実施例においては、ガス流入口封止手段４を測定装置に内蔵させているが、校正指令釦１１が押圧された場合に測定表示装置の表示手段、例えば液晶パネルに「ガス流入口を遮蔽してください」などのコメントを表示させて、ガス流入口２ａを手動で封止させるようにしても同様の作用を奏する。
【００１５】
なお、上述の実施例においては、ガス流入口２ａを備えたケース２に接触燃焼式ガス検出素子３を収容して、ガス流入口２ａから拡散により被測定流体を取り込む形式のものについて説明したが、接触燃焼式ガス検出素子を密閉容器に収容して流路によりポンプなどの送気手段に接続して強制的に被測定流体を取り込む形式の接触燃焼式ガスセンサーにあっては、流路を閉塞するための弁等のガス流入口封止手段を接続することにより同様の作用を奏することは明らかである。
【図面の簡単な説明】
【００１６】
【図１】本発明の一実施例を示す図である。
【図２】接触燃焼式ガス検出素子の一実施例を示す図である。
【図３】同上装置の零点校正時における接触燃焼式ガス検出素子の出力変化を示す図である。
【符号の説明】
【００１７】
１接触燃焼式ガスセンサー
２ａ  ガス流入口
２  ケース
３  接触燃焼式ガス検出素子
４  ガス流入口封止手段
５  駆動手段
６  シャッタ板
【図１】
2006177863.tif 000003
【図２】
2006177863.tif 000004
【図３】
2006177863.tif 000005
(57)【要約】【課題】一般所帯、特に高齢化社会の老人所帯に、使い勝つての良い簡単にスクリ−ン或いはスダレ等を容易に交換、保管が出来る上、且つ教育界、産業界を始め各方面に広く活用利用できる有効なカセットタイプの電動スクリをンを提供するものである。【解決手段】ケ−ス内にスクリ−ン又はスダレを納めたカセット方式で凸型ディスクと凹型ディスクの組合せとし、又、スクリ−ン及びスダレの垂れ下がりを防止するためウォ−ムギャ−ユニットを使用したシンプル−で取扱いが容易で誰にも優しい非常に有効なカセットタイプの電動スクリ−ンである。【選択図】    図Ａ
2006177131.tif 000002
【特許請求の範囲】
【請求項１】
スクリ−ンとケ−スをカセット化する事により、交換時の着脱等取扱い及び保管等を容易にした事を特徴とするカセット式電動スクリ−ンユニット。
【請求項２】
スダレとケ−スをカセット化する事により、交換時の着脱等取扱い及び保管等を容易にした事を特徴とするカセット式電動スクリ−ンユニット。
【請求項３】
本体の動力伝達用凸型ディスクと軸受用凹型ディスク間にカセットスクリ−ン両端の凹型ディスクをフィットさせるだけで着脱を容易にしたことを特徴とする請求項第１項第２項に記載のカセット式電動スクリーンユニット
【請求項４】
動力伝達部にウォ−ムギヤ−ユニットを使用する事によりスクリーン又はスダレが自重で垂れ下がるのを防止ことを特徴とする請求項第１項乃至第３項に記載ののカセット式電動スクリ−ンユニット
【発明の詳細な説明】
【技術分野】
【０００１】  本発明はカセット式の電動スクリ−ンユニットである、簡単に設置できる、取替が自在なセット式の収納ケ−スを有する電動式のスクリーンユニットである。
【背景技術】
【０００２】  従来、特開２０００−１４５３３１のものは巻取り軸内に電動機を収納したものであり構造が複雑であり、スクリ−ンの交換も困難である。【０００３】また、実開６１−１２７２９４のものは巻取り軸ごとスクリ−ンの交換はできるが取扱、取替、保管が困難である。
【発明の開示】
【発明が解決しようとする課題】
【０００４】  従来のスクリ−ンは構造が複雑な為め、設置、取替え、取扱い、交換等が困難であつたそこで本発明で、簡単に設置でき、取替が自在で、取扱い交換が容易であり、保管に便利なスクリ−ンを提供するものである、特に一段と高齢化の現状に於いて、高齢者を始め一般の方にも便利で優しいカセット式電動スリ−ンユニットを提案するものである。
【課題を解決するための手段】
【０００５】本発明は、スクリ−ン又はスダレとケ−スをカセット化してなるカセット式電動スクリ−ンユニットである。【０００６】カセットタイプのスクリーンはスクリ−ン側の凹型ディスクと動力伝達側の凸型ディスクをセットするだけで簡単に装置できるカセットタイプの電動スクリーンである。【０００７】また、カセットタイプのスクリ−ンはケ−スと一体化されているので取外し後の保管が容易なカセットタイプの電動スクリ−ンである。【０００８】カセットタイプのスクリ−ンはスクリ−ン本体の自重により垂れ下がりを防止するため駆動部にウォ−ムギャ−ユニットを装備した誰にも優しいカセットタイプの電動スクリ−ンである。【０００９】カセットタイプのスクリ−ンは壁面、天井面の何れの箇所にも自由に取付けが可能なマルチ設計のカセットタイプの電動スクリ−ンである。【００１０】カセットタイプのスクリ−ンはリモコンとマニュアル駆動が選択できるカセットタイプの電動スクリ−ンである。【００１１】カセットタイプのスクリ−ンはカセットを交換する事により目隠しスクリ−ン、プロジェクタ−スクリ−ン、日除けスダレ、地図ポスタ−等自由にレイアウトできるカセットタイプの電動スクリ−ンである。【００１２】カセットタイプのスクリ−ンは、電池、ＡＣアダプタ−電源が使用できる２ＷＡＹ方式のカセットタイプの電動スクリ−ンである。
【発明の効果】
【００１３】本発明は、高齢化する社会にあって、スクリ−ンの交換を蛍光灯を取替える以上の簡単な感覚で交換し保管が容易に通常実施出来る特に老人世帯にも優しい便利なカセットタイプである。尚、本スクリ−ンは教育現場等に地図スクリ−ン、プロジェクタ−スクリ−ン等多く方面に簡単に応用利用出来る非常に有効なものである。
【発明を実施するための最良の形態】
【００１４】マニュアルスイッチ（６）又はリモコンスイッチ（１２）を入れると電動機（１４）が作動し、ウォ−ムギャ−ユニット（１５）を介し凸型の伝達ディスク（９）から凹型のスクリ−ン軸ディスク（１１）に伝達され凹型スクリ−ン軸ディスク（１１）に連結された巻取り軸（１６）を回転させスクリ−ン（４）又はスダレ（４’）を巻取り、巻戻しを行いスクリ−（４）又はスダレ（４’）を昇降させる。
【実施例１】
【００１５】図Ａは、本発明装置の一実施例のリモコン式電動スクリ−ンを設置した配置状態をあらわす説明図である。
【実施例２】
【００１６】図Ｂは、本発明装置の一実施例のマニュアル式電動スクリ−ンを設置した配置状態をあらわす説明図である。
【実施例３】
【００１７】図Ｃは、本発明装置の一実施例のカセットタイプのスクリ−ンの着脱する状態をあらわす説明図である。
【実施例４】
【００１８】図Ｄは、本発明装置の一実施例の動力の伝達構造をあらわす設明図である。
【実施例４】
【００１９】図Ｅは、本発明装置の一実施例の巻取り軸、スクリ−ン、カバ−の状態をあらわす説明図である。
【図面の簡単な説明】
【００２０】
【図Ａ】本発明の実施状態をあらわす説明図である。（実施例１）
【図Ｂ】本発明の実施状態をあらわす説明図である。（実施例２）
【図Ｃ】カセットスクリ−ンの着脱を表す斜視図である。（実施例３）
【図Ｄ】電動機による伝達状態をあらわす斜視図である。（実施例４）
【図Ｅ】巻取軸、スクリ−ン、カバ−の状態を表す斜視図である。（実施例５）
【符号の説明】
【００２１】  １    カセットスクリ−ン              ９    凸型伝達ディスク
２    電動機カバ−                    １０  凸型軸受ディスク
３    軸受カバ−                      １１  凹型スクリ−ン軸デイスク
４    スクリ−ン                      １２  リモコンスイッチ
４’  スダレ                          １３  取付け用ブラケット
５    ウェイトレバ−                  １４  電動機
６    マニュアルスイッチ              １５  ウォ−ムギヤ−ユニット
７    配線                            １６  スクリ−ン巻取り軸
８    リモコン受信装置
【図Ａ】
2006177131.tif 000003
【図Ｂ】
2006177131.tif 000004
【図Ｃ】
2006177131.tif 000005
【図Ｄ】
2006177131.tif 000006
【図Ｅ】
2006177131.tif 000007